(57)【要約】【課題】  少ない材料で表示器を梱包することができるばかりでなく、開梱後は、この梱包材料により支持台を構成し、この支持台に表示器を装着してソフトウエアのインストールや操作を行うことができ、その上開梱後の梱包材料の処分も容易な表示器の梱包用緩衝材を提供する。【解決手段】  梱包箱４内に配設され表示器５の前面側が挿入される下部緩衝材１と、表示器５の後部側が挿入される開口部１３ａ，１３ｂを有し表示器５上に配設される上部緩衝材２とを有し、上部緩衝材１により表示器５を前面に保持する支持台を形成するようにした。【選択図】        図１
2006143243.tif 000002
【特許請求の範囲】
【請求項１】
梱包箱内に配設され表示器の前面側が挿入される下部緩衝材と、前記表示器の後部側が挿入される開口部を有し前記表示器上に配設される上部緩衝材とを有し、
前記上部緩衝材により前記表示器を前面に保持する支持台を形成することを特徴とする表示器の梱包用緩衝材。
【請求項２】
前記上部緩衝材は、表示器の後部側が挿入される開口部を有する下面部と、連結部を介して前記下面部の両側に連接され下部に斜辺が形成されたほぼ台形状の補強部と、連結部を介して前記下面部に補強部と直交して連接された上面部と、該上面部の両側に連接され前記補強部側に斜辺が形成されたほぼ台形状の支持部とを有し、
前記支持部をほぼ直角に折曲げると共に前記上面部を下面部側に折曲げて前記支持部を下面部の両側に係止させ、前記補強部を前記支持部に沿って折曲げて前記上面部の両側に係止させ、前記上面部を底部とすることにより前面に前記開口部を有する側面ほぼ台形状の支持台を形成することを特徴とする請求項１記載の表示器の梱包用緩衝材。
【請求項３】
前記上部緩衝材は、表示器の後部側が挿入される開口部を有する下面部と、該下面部の開口部に対応した開口部を有し前記下面部に連接された上面部と、該上面部とほぼ同じ形状で該上面部に連接された補強部と、前記下面部の両側に上面部と直交して連接され前記上面部側に傾斜した折曲げ部を有する支持部とを有し、
前記補強部を前記上面部側に折曲げたのち前記上面部を下面部側に折曲げて重ね合わせ、前記両支持部をほぼ直角に折曲げると共に前記傾斜した折曲げ部を折曲げて前記上面部と補強部との間に挿入し、前記上面部を底部とすることにより前面に前記開口部を有する側面ほぼ台形状の支持台を形成することを特徴とする請求項１記載の表示器の梱包用緩衝材。
【請求項４】
前記下部緩衝材及び上部緩衝材をダンボール材で形成したことを特徴とする請求項１〜３のいずれかに記載の表示器の梱包用緩衝材。
【発明の詳細な説明】
【技術分野】
【０００１】
本発明は、例えば、プログラマブル・ロジック・コントローラを構成する表示器の梱包用緩衝材に関するものである。
【背景技術】
【０００２】
例えば、プログラマブル・ロジック・コントローラは、通常、被制御対象の制御機器と、プログラムメモリ、操作部、表示部等を備えたプログラマブル表示器（以下、表示器という）とから構成され、制御盤等に実装されている。
このような表示器を制御盤等に組込むにあたっては、組込む前に被制御対象に対応したソフトウエアをインストールすることが必要であり、このソフトウエアのインストールには、ソフトウエアが記憶された外部記憶装置を表示器に接続しなければならないので、制御盤等に組込んだ状態でインストールすることは困難である。
【０００３】
ところで、このような表示器は、奥行きが短かく底部が平坦でないため、卓上等に置くことは不安定でその上操作しにくいという問題がある。そのため、制御盤等に組込む前の操作専用のスタンドが販売されているが、このような専用のスタンドは度々使用するものではないので、不経済である。
【０００４】
このような問題に対処するために、表示器にソフトウエアをインストールするにあたって、表示器の梱包時に梱包用緩衝材にさらに折畳み式の表示器用緩衝材を付加し、開梱後にこの表示器用緩衝材をほぼ三角形状に組立てて、その一面に設けた開口部に表示器を装着し、インストール等の操作を行うようにしたものがある（例えば、特許文献１参照）。
【０００５】
【特許文献１】特開２００２−２８１７号公報
【発明の開示】
【発明が解決しようとする課題】
【０００６】
特許文献１において、表示器を梱包する場合は、先ず、ダンボール箱の如き梱包用の箱の中に、段ボールや発泡スチロール等からなる第１の緩衝材を入れて、この第１の緩衝材の上に表示器を載せ、次に、表示器の上に段ボールや発泡スチロール等からなる第２の緩衝材を入れる。ついで、この第２の緩衝材の上にさらに折畳まれた表示器用緩衝材を入れて蓋を閉じるようにしている。
そして、開梱したときは、表示器用緩衝材をほぼ三角形状に組立ててその開口部に表示器を装着する。
【０００７】
上記のような特許文献１による表示器の梱包にあたっては、梱包用の箱、第１の緩衝材、第２の緩衝材及び梱包に直接関係のない表示器用緩衝材と、多くの材料を使用するため、梱包が面倒であるばかりでなく、コストの上昇は避けられない。
【０００８】
一方、表示器の使用者は、開梱後これらの梱包材料を処分しなければならないが、処分する材料が多いため、面倒である。また、第１、第２の緩衝材に発泡スチロールを使用した場合は、これらを段ボール製の箱や表示器用緩衝材と分類して別に処分しなければならないので、きわめて面倒である。
【０００９】
本発明は、上記の課題を解決するためになされたもので、少ない材料で表示器を梱包することができるばかりでなく、開梱後は、この梱包材料により支持台を構成し、この支持台に表示器を装着してソフトウエアのインストールや操作を行うことができ、その上開梱後の梱包材料の処分も容易な表示器の梱包用緩衝材を提供することを目的としたものである。
【課題を解決するための手段】
【００１０】
本発明に係る表示器の梱包用緩衝材は、梱包箱内に配設され表示器の前面側が挿入される下部緩衝材と、前記表示器の後部側が挿入される開口部を有し前記表示器上に配設される上部緩衝材とを有し、前記上部緩衝材により前記表示器を前面に保持する支持台を形成するようにしたものである。
【００１１】
上記の上部緩衝材は、表示器の後部側が挿入される開口部を有する下面部と、連結部を介して前記下面部の両側に連接され下部に斜辺が形成されたほぼ台形状の補強部と、連結部を介して前記下面部に補強部と直交して連接された上面部と、該上面部の両側に連接され前記補強部側に斜辺が形成されたほぼ台形状の支持部とを有し、前記支持部をほぼ直角に折曲げると共に前記上面部を下面部側に折曲げて前記支持部を下面部の両側に係止させ、前記補強部を前記支持部に沿って折曲げて前記上面部の両側に係止させ、前記上面部を底部とすることにより前面に前記開口部を有する側面ほぼ台形状の支持台を形成するようにしたものである。
【００１２】
また、上記の上部緩衝材は、表示器の後部側が挿入される開口部を有する下面部と、該下面部の開口部に対応した開口部を有し前記下面部に連接された上面部と、該上面部とほぼ同じ形状で該上面部に連接された補強部と、前記下面部の両側に上面部と直交して連接され前記上面部側に傾斜した折曲げ部を有する支持部とを有し、前記補強部を前記上面部側に折曲げたのち前記上面部を下面部側に折曲げて重ね合わせ、前記両支持部をほぼ直角に折曲げると共に前記傾斜した折曲げ部を折曲げて前記上面部と補強部との間に挿入し、前記上面部を底部とすることにより前面に前記開口部を有する側面ほぼ台形状の支持台を形成するようにしたものである。
【００１３】
上記の下部緩衝材及び上部緩衝材をダンボール材で形成した。
【発明の効果】
【００１４】
本発明によれば、少ない材料で表示器を梱包できるので、梱包作業が容易でコストを低減することができ、また使用者による開梱後の梱包材料の処分も容易である。
また、開梱後は、一方の梱包材料である上部緩衝材により支持台を形成し、この支持台の傾斜面に表示器を安定かつ確実に装着するようにしたので、使用者はソフトウエアのインストールや諸操作を容易かつ確実に行うことができる。
【発明を実施するための最良の形態】
【００１５】
［実施の形態１］
図１は本発明の実施の形態１に係る梱包用緩衝材による表示器の梱包手順の一例を示す説明図である。
図において、１は段ボール材からなる下部緩衝材、２は同じく上部緩衝材、４は例えば段ボール箱からなる梱包箱、５は本体５１とその前面側外周に設けたフランジ部５２からなるベゼルタイプの表示器である。
【００１６】
図２は図１の下部緩衝材１の展開図である。なお以下のこの展開図の説明では隣接部の境界に設けた切込み部（切断部）を２本の実線で示し、折曲げ部を破線で示す。
１１ａは四角形の上面部、１１ｂは上面部１１ａと同じ大きさの下面部で、両者は連結部１２ａ，１２ｂで連接されており、また、表示器５の前面（フランジ部５２）に対応した大きさの開口部１３ａ，１３ｂがそれぞれ設けられている。１４ａ，１４ｂは上面部１１ａの開口部１３ａの上下に対向して突設された係止片である。
【００１７】
１５は下面部１１ｂと連結部１２ｃ，１２ｄにより連接された下面部１１ｂと同じ大きさの底面部で、上下には対向して係止穴１６ａ，１６ｂが設けられており、左右には対向して切起こし係止片１７ａ，１７ｂが設けられている。１８ａ，１８ｂは底面部１５の両側に設けられた基台片で、ほぼ中央部にはそれぞれ係止穴１９ａ，１９ｂが設けられている。
【００１８】
次に、上記のような下部緩衝材１の組立手順の一例について説明する。先ず、上面部１１ａを連結部１２ａ，１２ｂを介して下面部１１ｂ側に折曲げて重ね合わせ、開口部１３ａ，１３ｂを整合させる。ついで、重ね合わせた上面部１１ａと下面部１１ｂを、連結部１２ｃ，１２ｄを介して底面部１５側に折曲げて底面部１５と重ね合わせ、上面部１１ａの係止片１４ａ，１４ｂを折曲げて底面部１５の係止穴１６ａ，１６ｂに係合させる。これにより上面部１１ａ、下面部１１ｂ及び底面部１５は一体に結合される。
【００１９】
次に、両基台片１８ａ，１８ｂを底面部１５の背面側に順次折曲げて断面長方形状に形成し、切起こし係止片１７ａ，１７ｂを係止穴１９ａ，１９ｂに係止して一体に結合すれば、下部緩衝材１の組立が完了する。
図３（ａ）は組立てられた下部緩衝材１の上面斜視図、図３（ｂ）は下面斜視図である。
【００２０】
図４は上面緩衝材２の展開図である。２１は下面部で、表示器５の本体部５１に対応した大きさの開口部２２が設けられている。２３ａ，２３ｂは下部に上方に傾斜する斜辺２４ａ，２４ｂを有し、所定幅の連結部（側壁）２５ａ，２５ｂ（この連結部２５ａ，２５ｂの幅は、後述の保持片２９を断面四角形状に折曲げたときの高さより若干広い）を介して、下面板２１の両側に連接されたほぼ台形状の補強部で、下面部２１と連結部２５ａ，２５ｂとの境界には、スリット状の係止穴２６ａ，２６ｂが設けられている。２７ａ，２７ｂは補強部２３ａ，２３ｂの上部の両端部に設けた係止片、２８ａ，２８ｂは斜辺２４ａ，２４ｂに設けた係止片である。
【００２１】
２９は下面２１の上部に補強部２３ａ，２３ｂと直交して設けられ、開口部２２の深さを規制する保持片で、上部両側には係止片３０ａ，３０ｂが設けられている。２６ｃは下面部２１と保持片２９との境界に設けられたスリット状の係止穴、２６ｄ，２６ｅは上記境界の近傍において、下面部２１に設けられたスリット状の係止穴である。
【００２２】
３２は下面部２１に所定幅の連結部３１（この幅は、前記のように保持片２９を断面四角形状に折曲げたときの高さとほぼ等しい）を介して連接された下面部２１とほぼ同じ大きさの上面部で、連結部３１との境界には係止穴３３が設けられており、他端には台形状の係止穴３４ａ，３４ｂが形成されている。
３５ａ，３５ｂは上面部３２の両側に設けられた支持部で、上部（補強部２３ａ，２３ｂ側）には補強部２３ａ，２３ｂと遠ざかる方向に、斜辺２４ａ，２４ｂと同じ角度（実施例では４５°）の斜辺３６ａ，３６ｂが形成されている。３７ａ，３７ｂは上面部３２との境界に設けた係止穴、３８ａ，３８ｂは斜辺３６ａ，３６ｂに設けた係止片、３９ａ，３９ｂは下端部に設けた切起こし係止片である。
【００２３】
次に、図５により上記のような上部緩衝材２の組立手順の一例について説明する。
先ず、図５（ａ）に示すように、保持片２９を折曲げ部に沿って下面板２１側に断面ほぼ四角形になるように折曲げて、その係止片３０ａ，３０ｂを下面部２１の係止穴２６ｄ，２６ｅに係止させる。また、支持部３５ａ，３５ｂを上面部３２側に折曲げて、その切起こし係止片３９ａ，３９ｂを上面部３２の係止穴３４ａ，３４ｂに係止させる。ついで、図５（ｂ）に示すように、上面部３２を下面部２１側に折曲げ、図５（ｃ）に示すように、補強部２３ａ，２３ｂを上面部３２の上に折曲げてその係止片２７ａ，２７ｂを係止穴２６ｃに係止させれば、組立が完了する。このときの状態を図５（ｄ）に示す。なお、このとき、上面部３２の上面には、補強部２３ａ，２３ｂにより、取扱説明書等４１の収納部４０が形成される（図１参照）。
【００２４】
次に、図１により、上記のような下部緩衝材１及び上部緩衝材２を用いた表示器５の梱包手順の一例について説明する。
先ず、梱包箱４の蓋をあけて、その中に、開口部１３ａ，１３ｂを上にして下部緩衝材２を挿入する。このとき、基台片１８ａ，１８ｂで形成された長方形状の中空部内に、例えば表示器５の制御盤等への取付金具４２（図にはビニール袋４３内に収納した場合が示してある）を収容してもよい。
【００２５】
ついで、表示器５（図にはビニール袋５３内に収納した場合が示してある）をフランジ部５２を下にして下部緩衝材１の上に載置し、フランジ部５２を開口部１３ａ，１３ｂ内に嵌入する。
続いて、上部緩衝材２を下面部２１を下にして表示器５上に載置し、その開口部２２を表示器５の本体部５１に嵌合する。そして、梱包箱４の蓋を閉じて封止すれば、表示器５は、下部緩衝材１と上部緩衝材２との間に、これらの緩衝機能により安定して保持され、梱包作業が完了する。
開梱する場合は、上記と逆の手順によればよい。
【００２６】
開梱した表示器５にソフトウエアをインストールしたり操作したりする場合は、梱包箱４から取出した上部緩衝材２を、図６（ａ）に示すように、支持部２３ａ，２３ｂを両側に開いて上面部３２を起こす。ついで、図６（ｂ）に示すように、支持部３５ａ，３５ｂをほぼ直角に折曲げた上面部３２を下面部２１側に折曲げて、斜辺３６ａ，３６ｂに設けた係止片３８ａ，３８ｂを係止穴２６ａ，２６ｂに係止させる。
【００２７】
次に、図６（ｃ）に示すように、補強部２３ａ，２３ｂを支持部３５ａ，３５ｂに沿って折曲げ、その係止片２８ａ，２８ｂを上面部３２の両側に設けた係止穴３７ａ，３７ｂに係止させる。これにより、上部緩衝材２は側面ほぼ台形状に組立てられる。
この状態で上面部３２をテーブル等の上に載置すれば、図６（ｄ）に示すように、前面に位置する下面部２１が後方に傾斜（実施例では、テーブル等に対する傾斜角度は４５°）した支持台６が形成される。
【００２８】
そして、図７に示すように、支持台６の開口部２２に前面側から表示器５を装着すれば、使用者は表示器５に外部記憶装置からソフトウエアをインストールしあるいは操作したりすることができる。また表示器５の表示部は所定の角度で支持台６に保持されているので、使用者は見易く、操作が容易である。
表示器５へのソフトウエアのインストール等が終了したときは、表示器５を支持台６から取外して制御盤等に取付け、上部緩衝材２である支持台６を処分する。
【００２９】
上記のように構成した本実施の形態によれば、少ない材料で表示器５を梱包できるので、梱包作業が容易でコストを低減することができ、また使用者による開梱後の梱包材料の処分も容易である。
また、開梱後は、一方の梱包材料である上部緩衝材２により支持台６を形成し、この支持台６の傾斜面に表示器５を安定かつ確実に装着するようにしたので、使用者はソフトウエアのインストールや諸操作を容易かつ確実に行うことができる。なお、下部緩衝材１は上記の構成に限定するものではなく、梱包時に表示器５のフランジ部５２を嵌入する開口部を有するものであれば、他の構造のものでもよい。
【００３０】
［実施の形態２］
図８は本発明の実施の形態２に係る梱包用緩衝材による表示器の梱包手順の一例の説明図である。なお、実施の形態１と同じ部分にはこれと同じ符号を付してある。
図において、１０１は段ボールからなる複数の下部緩衝材、１２０は同じく上部緩衝材である。４は梱包箱、５は表示器で、本体部５１の背面側には、制御部５４、インバータ部５５が突出して設けられており、これらの両側（上下）には、制御盤等への取付壁５６ａ，５６ｂが設けられている。
【００３１】
図９は下部緩衝材１０１の展開図である。なお、以下の説明では、スリット（切込み）が入れられた部分を実線で示し、折曲げ部を破線で示す。
１０２は底面部、１０３は所定幅の連結部１０５ａ（この幅は、後述の保持部１０９を断面四角形状に折曲げた場合の高さより若干広い）を介して底面部１０２に連接された上面部、１０４は連結部１０５ａよりやや狭い幅の連結部１０５ｂを介して上面部１０３に連接された補強部で、先端部には連結部１０５ｂとほぼ同じ幅の側壁部１０５ｃが設けられており、これらはほぼ同じ大きさに形成されている。
【００３２】
１０６ａ，１０６ｂは連結部１０５ａの折曲げ部に沿って設けられたスリット状の係止穴、１０６ｃは連結部１０５ｂの上面部１０３側の折曲げ部に沿って設けられたスリット状の係止穴、１０６ｄ，１０６ｅは上面部１０３に設けたスリット状の係止穴である。１０７ａは側壁部１０５ｃの折曲げ部に沿って設けられた切起こし係止片、１０８ａは補強部１０４の先端部に設けた係止片である。
【００３３】
１０９は連結部１０５ｂよりやや狭い幅の連結部１０５ｄを介して、補強部１０４と直交して上面部１０３に連接された保持部で、連結部１０５ｄの上面部１０３側の折曲げ部に沿ってスリット状の係止穴１０６ｆが設けられており、先端部近傍にはスリット状の係止穴１０６ｇが設けられている。１０８ｂは先端部に設けた係止片である。
【００３４】
１１０ａは連結部１０５ａより幅の広い連結部１０５ｅを介して底面部１０２に連接された第１の基台部で、先端部は斜面部１１１により幅狭に形成されており、連結部１０５ｅの第１の基台部１１０ａ側の折曲げ部に沿ってスリット状の係止穴１０６ｈが設けられている。１０７ｂは切起こし係止片、１０８ｄは先端部に設けた係止片である。
【００３５】
１１０ｂは第１の基台部１１０ａと直交し、連結部１０５ｅと同じ幅の連結部１０５ｆを介して底面部１０２に連接された第２の基台部で、連結部１０５ｆの第２の基台部１１０ｂ側の折曲げ部に沿ってスリット状の係止穴１０６ｉが設けられており、また、第２の基台部１１０ｂの係止穴１０６ｉの近傍には、傾斜したスリット状の係止穴１０６ｊが設けられている。１０７ｃは切起こし係止片、１０８ｅは先端部に設けた係止片である。
【００３６】
次に、上記のように展開した下部緩衝材１０１の組立手順の一例について説明する。
先ず、保持部１０９を折曲げ部に沿って上面部１０３側に断面四角形状に折曲げて、その係止片１０８ｂを係止穴１０６ｆに係止させる。このとき、係止穴１０６ｄと１０６ｇが整合する。
ついで、側壁１０５ｃを折曲げ部によりほぼ直角に折曲げると共に、補強部１０４を折曲げ部に沿って上面部１０３側に折曲げて、その一部を保持部１０９上に重ね合わせ、係止片１０８ａを係止穴１０６ｂに係止させる。この状態で、上面部１０３を補強部１０４と共に折曲げ部に沿って底面部１０２側に折曲げて、切起こし係止片１０７ａを係止穴１０６ａに係止させる。
【００３７】
次に、第１の基台部１１０ａの先端部側を、折曲げ部に沿って断面長方形状に折曲げて、その係止片１０８ｄを係止穴１０６ｈに係止させる。そして、連結部１０５ｅを側壁１０５ｃに沿って折曲げて、前記断面長方形状の部分を上面部１０３上に位置させ、その切起こし係止片１０７ｂを係止穴１０６ｅに係止させる。
ついで、第２の基台部１１０ｂの先端部側を、折曲げ線に沿って断面長方形状に折曲げて、その係止片１０８ｅを係止穴１０６ｉに係止させる。そして、連結部１０５ｆを保持部１０９の連結部１０５ｄに沿って折曲げて、前記断面長方形状の部分を上面部１０３上に位置させ、その切起こし係止片１０７ｃを係止穴１０６ｄに係止させると共に、係止穴１０６ｊに第１の基台部１１０ａの斜面部１１１に設けた係止片１０８ｃを係止させる。これにより下部緩衝材１０１の組立を完了する。これにより、図８に示すように、上面部１０３の隣接する２辺に断面長方形状の基台部１１０ａ，１１０ｂが設けられた下部緩衝材１０１が形成される。
【００３８】
図１０は上部緩衝材１２０の展開図である。
１２１は下面部で、表示器５の制御部５４に対応した大きさの開口部１２２、インバータ部５５に対応した大きさの開口部１２３及び取付壁５６ａ，５６ｂに対応した大きさの開口部１２４ａ，１２４ｂが設けられている。
１２５は下面部１２１にスリット及び折曲げ部を介して連接された上面部で、下面部１２１の開口部１２２，１２３に対応して開口部１２６，１２７が設けられており、開口部１２６，１２７の一方の側（下面部１２１と反対側）にはスリット状の係止穴１２８ａ，１２８ｂが設けられている。
【００３９】
１２９はスリット及び折曲げ部を介して上面部１２５に連接された補強部で、下面部１２１の開口部１２２，１２３に対応して開口部１３０，１３１が設けられており、上面部１２５側には、係止穴１２８ａ，１２８ｂと対称位置に係止穴１２８ｃ，１２８ｄが設けられている。１３２は補強部１２９の端部に、下面部１２１と上面部１２５との間に形成された折曲げ部に対応して設けられた切欠き部である。
【００４０】
１３４ａ，１３４ｂは下面部１２１の両側に上面部１２５と直交し、所定幅の連結部１３３ａ，１３３ｂ（この幅は、上面部１２５と補強部１２９の合計板厚とほぼ等しい）を介して連接された支持部で、上面部１２５側から上端部に向って斜めに設けられた傾斜折曲げ部１３５ａ，１３５ｂ（この傾斜折曲げ部は、実施例では連結部１３３ａ，１３３ｂに対して４５°とした）に沿って切起こし係止片１３６ａ，１３６ｂ，１３６ｃ，１３６ｄが設けられている。１３７ａ，１３７ｂは先端部に設けた切起こし係止片である。
【００４１】
上記のように展開した上部緩衝材１２０を組立てるには、先ず、補強部１２９を折曲げ部に沿って上面部１２５側に折曲げて、重ね合わせる。このとき、開口部１２６と１３０、１２７と１３１及び係止穴１２８ａと１２８ｃ、１２８ｂと１２８ｄはそれぞれ整合する。
ついで、補強部１２９が重ね合わされた上面部１２５を折曲げ部に沿って下面部１２１側に折曲げて重ね合わせる。このとき、開口部１２２，１２６，１３０及び１２３，１２７，１３１はそれぞれ整合する。
【００４２】
次に、両支持部１３４ａ，１３４ｂを連結部１３３ａ，１３３ｂの折曲げ部に沿って互いに上面部１２５側に折曲げて上面部１２５と重ね合わせ、その切起こし係止片１３７ａ，１３７ｂを上面部１２５と補強部１２９の係止穴１２８ｃと１２８ａ、１２８ｄと１２８ｂにそれぞれ係止させる。これにより、上部緩衝材１２０の組立が完了する。
このときの上部緩衝材１２０の上面図、下面図を図１１に示す。
【００４３】
次に、図８により、上記のような下部緩衝材１０１及び上部緩衝材１２０を用いた表示器５の梱包手順の一例について説明する。
先ず、梱包箱４の蓋をあけて、その底部４隅に、基台部１１０ａ，１１０ｂを上にして４個の下部緩衝材１０１を設置する。このとき、４個の下部緩衝材１０１の基台部１１０ａ，１１０ｂで囲まれた領域は、表示器５のフランジ部５２の大きさに対応する。したがって、表示器５の大きさ（特にフランジ部５２）が異なる場合でも、梱包箱４の大きさを変えることにより、下部緩衝材１０１を変えることなく、そのまま使用することができる。
【００４４】
ついで、表示器５（図には、ビニール袋５３内に収納した場合が示してある。）を、フランジ部５２を下にして梱包箱４内に挿入し、基台部１１０ａ，１１０ｂで囲まれた下部緩衝材１０１の上面部１０３上に載置する。
続いて、表示器５の上に、下面部１２１を下にして上部緩衝材１２０を載置する。このとき、図１２に示すように、上部緩衝材１２０の開口部１２２（１２６，１３０）は表示器５の制御部５４に、開口部１２３（１２７，１３１）はインバータ部５５に、開口部１２４ａ，１２４ｂは取付壁５６ａ，５６ｂにそれぞれ嵌合する。そして、梱包箱４の蓋を閉じて封止すれば、表示器５は下部緩衝材１０１と上部緩衝材１２０との間に、これらの緩衝機能により、安定して確実に保持され、梱包作業が完了する。
開梱する場合は、上記と逆の手順によればよい。
【００４５】
開梱した表示器５にソフトウエアをインストールしたり操作したりする場合は、図１３（ａ）に示すように、上部緩衝材１２０を梱包箱４から取出し、図１３（ｂ）に示すように、支持部１３４ａ，１３４ｂを両側に開く。ついで、図１３（ｃ）に示すように、重ねられた補強部１２９と上面部１２５をほぼ垂直に起立させる。そして、図１３（ｄ）に示すように、支持部１３４ａ，１３４ｂの折曲げ部１３５ａ，１３５ｂを内側に折曲げて三角形状の折曲げ片を形成し、支持部１３４ａ，１３４ｂを上方に折曲げると共に、この折曲げ片を補強部１２９と上面部１２５との間に挿入する。
【００４６】
この状態で、上面部１２５をテーブル等の上に載置すれば、図１３（ｅ）に示すように、側面ほぼ台形状の支持台６が形成され、前面には後方に傾斜した（実施例では、この傾斜角度をテーブル等に対して４５°とした）表示器５の装着部が形成される。
そして、この装着部の開口部１２２，１２３と１２４ａ，１２４ｂに挟まれた部位を取り除くことで、表示器５の装着部が形成され、表示器５を確実に支持台６に装着することができる。このときの状態を図１４に示す。
【００４７】
本実施の形態においても、実施の形態１の場合とほぼ同様の効果を得ることができるが、特に大型の表示器５の梱包に実施して有効である。なお、下部緩衝材１０１は上記の構成に限定するものではなく、表示器５のフランジ部５２の収納部を有し、かつ緩衝機能を有するものであれば、他の構造のものでもよい。
【図面の簡単な説明】
【００４８】
【図１】本発明の実施の形態１に係る梱包用緩衝材による表示器の梱包手順の一例を示す説明図である。
【図２】図１の下部緩衝材の展開図である。
【図３】図１の下部緩衝材の上面斜視図及び下面斜視図である。
【図４】図１の上部緩衝材の展開図である。
【図５】上部緩衝材の組立手順の説明図である。
【図６】上部緩衝材により表示器の支持台を形成する手順を示す説明図である。
【図７】支持台に表示器を取付けた状態を示す斜視図である。
【図８】本発明の実施の形態２に係る梱包用緩衝材による表示器の梱包手順の一例を示す説明図である。
【図９】図８の下部緩衝材の展開図である。
【図１０】図８の上部緩衝材の展開図である。
【図１１】図８の上部緩衝材の上面斜視図及び下面斜視図である。
【図１２】表示器に上部緩衝材を嵌合する状態を示す斜視図である。
【図１３】上部緩衝材により表示器の支持台を形成する手順を示す説明図である。
【図１４】支持台に表示器を取付けた状態を示す斜視図である。
【符号の説明】
【００４９】
１  下部緩衝材、２  上部緩衝材、２１  下面部、２２  開口部、２３ａ，２３ｂ  補強部、３２  上面部、３５ａ，３５ｂ  支持部、４  梱包箱、５  表示器、６  支持台、１０１  下部緩衝材、１２０  上部緩衝材、１２１  下面部、１２２，１２３，１２４ａ，１２４ｂ，１２６，１２７，１３０，１３１  開口部、１２５  上面部、１２９  補強部、１３４ａ，１３４ｂ  支持部。
【図１】
2006143243.tif 000003
【図２】
2006143243.tif 000004
【図３】
2006143243.tif 000005
【図４】
2006143243.tif 000006
【図５】
2006143243.tif 000007
【図６】
2006143243.tif 000008
【図７】
2006143243.tif 000009
【図８】
2006143243.tif 000010
【図９】
2006143243.tif 000011
【図１０】
2006143243.tif 000012
【図１１】
2006143243.tif 000013
【図１２】
2006143243.tif 000014
【図１３】
2006143243.tif 000015
【図１４】
2006143243.tif 000016